(57)【特許請求の範囲】
【請求項１】
少なくとも１つの刃を備えるカミソリヘッドであって、刃の刃先縁よりも前方に配置された前側部分と、刃の刃先縁よりも後方に配置された後側部分と、露出している刃先縁の側方外側に配置された２つの側方部分を有し、該２つの側方部分はそれぞれ前端面を有し、前記前側部分は刃先縁方向である長さ方向に延在するガードを有し、且つ該ガードは前記２つの側方部分の前端面の間で該前端面よりも前方に突出するように延在しており、前記前側部分と前記後側部分との共通接線であるひげ剃り接線に対して、該ひげ剃り接線との接触部よりも前側のガードの上面は、前記接触部から前方に向かって下りの傾斜面に形成され、ガードの表面の長さ方向に、前側部分よりも摩擦係数の大きな材料で形成された高摩擦部材が延在し、該高摩擦部材の露出した前面はその下部から上部に行くに従って徐々に後方に向かう傾斜面に形成されていることを特徴とするカミソリヘッド。
【請求項２】
高摩擦部材は、長さ方向に平行に延びる３つの突出部を上面に有し、各突出部の頂部はいずれもひげ剃り接線と接していない請求項１記載のカミソリヘッド。
【請求項３】
２つの側方部分はそれぞれ後端面を有し、その後端面と後側部分の後端面とで構成されるカミソリヘッドの後端面が全長に亘って直線状又は滑らかな円弧状をなしている請求項１又は請求項２記載のカミソリヘッド。
【請求項４】
２つの側方部分はそれぞれ後端面を有し、後側部分の後端面は前記２つの側方部分の後端面と同一平面状又は前記２つの側方部分の後端面よりも前方に位置している請求項１又は請求項２記載のカミソリヘッド。
【請求項５】
天部材、基台及び刃部材を含み、刃部材は天部材と基台との間に支持され、ガードは前記天部材又は基台の少なくとも一方に設けられており、ガードが設けられている天部材及び又は基台の前側部分、後側部分及び側方部分は一体に形成されている請求項１乃至請求項４のいずれか一項記載のカミソリヘッド。
【請求項６】
後側部分にシェービング補助材が取り付けられ、シェービング補助材の上面及び後面が後側部分の上面から後端面にかけて連続するように露出している請求項１乃至請求項５のいずれか一項記載のカミソリヘッド。
【発明の詳細な説明】
【技術分野】
【０００１】
本発明は、ひげ剃りに使用するカミソリヘッドに関する。
【背景技術】
【０００２】
安全カミソリにおいて、従来から最前刃の前に皮膚係合ガードを配置することが行われている。カミソリの使用時に、カミソリヘッドの進行方向の最前部に位置するガードがカミソリヘッドを先導し、そのとき、ガードと皮膚の間に摩擦力が生じてガードが皮膚を引き延ばす作用をなす。皮膚が引き延ばされると皮膚の皺などが延ばされるからひげが起立して、ひげを根元から切断することができる。
【０００３】
従来の安全カミソリは、カミソリヘッドの側方部分が刃先縁と垂直の方向であるカミソリヘッド前後方向の全長に亘って延在しており、ガードの前端面と側方部分の前端面がほぼ面一に形成されている。したがって、カミソリの使用時に、カミソリヘッドの進行方向の最前部に位置するガードと側方部分の双方の部分がカミソリヘッドを先導する。使用者がカミソリを使用するときはカミソリヘッドを皮膚に押し付けて使用するから、使用時にカミソリヘッドに押された皮膚は窪むことになる。皮膚が窪んだ状態でカミソリヘッドを進めると、先導するガードと側方部分はその先導部分の直前にある皮膚を順次窪ませながら前進するので、窪みつつある皮膚がカミソリヘッドの進行に対する抵抗となり円滑なひげ剃りをすることができない。
【０００４】
また、カミソリヘッドの進行を少しでも円滑に進めるために、先導部分以外の部分と皮膚との間の摩擦力を減じる手段として、カミソリヘッドの上面にシェービング補助材を取り付けることが行われている。シェービング補助材の一種に水溶性のシェービング補助材があり、それはカミソリの使用時に濡らされたシェービング補助材が皮膚の表面に接触しながら移動することにより溶け出して潤滑性を得ることができる補助材である。そのようなシェービング補助材が最も効果を発揮するのは顔の広い部分を剃るときである。しかし、例えば鼻の下などの狭い部分を剃るときは、カミソリヘッドが皮膚の表面を移動する距離が短いのでシェービング補助材が十分に溶け出さず、シェービング補助材の効果を十分に得ることができず円滑なひげ剃りをすることができない。
【先行技術文献】
【特許文献】
【０００５】
【特許文献１】特許第４３０２３６３号公報
【発明の概要】
【発明が解決しようとする課題】
【０００６】
円滑なひげ剃りをするために従来の安全カミソリはシェービング補助材を用いるなどの改良を加えてきた。しかし、上述したように従来の安全カミソリは円滑なひげ剃りをするについて、円滑性はまだ十分とは言いきれない。本発明の目的は、ひげ剃り時に従来よりもさらにカミソリヘッドを円滑に進めることができるカミソリを提供することにある。
【課題を解決するための手段】
【０００７】
上述の課題を解決するための請求項１は、少なくとも１つの刃を備えるカミソリヘッドであって、刃の刃先縁よりも前方に配置された前側部分と、刃の刃先縁よりも後方に配置された後側部分と、露出している刃先縁の側方外側に配置された２つの側方部分を有し、該２つの側方部分はそれぞれ前端面を有し、前記前側部分は刃先縁方向である長さ方向に延在するガードを有し、且つ該ガードは前記２つの側方部分の前端面の間で該前端面よりも前方に突出するように延在しており、前記前側部分と前記後側部分との共通接線であるひげ剃り接線に対して、該ひげ剃り接線との接触部よりも前側のガードの上面は、前記接触部から前方に向かって下りの傾斜面に形成され、ガードの表面の長さ方向に、前側部分よりも摩擦係数の大きな材料で形成された高摩擦部材が延在し、該高摩擦部材の露出した前面はその下部から上部に行くに従って徐々に後方に向かう傾斜面に形成されている構成である。
【０００８】
請求項２は、高摩擦部材は、長さ方向に平行に延びる３つの突出部を上面に有し、各突出部の頂部はいずれもひげ剃り接線と接していない要素が請求項１に付加された構成である。
【０００９】
請求項３は、２つの側方部分がそれぞれ後端面を有し、その後端面と後側部分の後端面とで構成されるカミソリヘッドの後端面が全長に亘って直線状又は滑らかな円弧状をなしている要素が請求項１又は請求項２に付加された構成である。
【００１０】
請求項４は、２つの側方部分がそれぞれ後端面を有し、後側部分の後端面は前記２つの側方部分の後端面と同一平面状又は前記２つの側方部分の後端面よりも前方に位置している要素が請求項１又は請求項２に付加された構成である。
【００１１】
請求項５は、天部材、基台及び刃部材を含み、刃部材は天部材と基台との間に支持され、ガードは前記天部材又は基台の少なくとも一方に設けられており、ガードが設けられている天部材及び又は基台の前側部分、後側部分及び側方部分が一体に形成されている要素が請求項１乃至請求項４のいずれか一項に付加された構成である。
【００１２】
請求項６は、後側部分にシェービング補助材が取り付けられ、シェービング補助材の上面及び後面が後側部分の上面から後端面にかけて連続するように露出している要素が請求項１乃至請求項５のいずれか一項に付加された構成である。
【発明の効果】
【００１３】
請求項１は、刃の刃先縁よりも前方に配置された前側部分と、刃の刃先縁よりも後方に配置された後側部分と、露出している刃先縁の側方外側に配置された２つの側方部分を有し、該２つの側方部分はそれぞれ前端面を有し、前記前側部分は刃先縁方向である長さ方向に延在するガードを有し、且つ該ガードは前記２つの側方部分の前端面の間で該前端面よりも前方に突出するように延在しており、前記前側部分と前記後側部分との共通接線であるひげ剃り接線に対して、該ひげ剃り接線との接触部よりも前側のガードの上面は、前記接触部から前方に向かって下りの傾斜面に形成され、ガードの表面の長さ方向に、前側部分よりも摩擦係数の大きな材料で形成された高摩擦部材が延在し、該高摩擦部材の露出した前面はその下部から上部に行くに従って徐々に後方に向かう傾斜面に形成されている。したがって、安全カミソリの使用中に、カミソリヘッドを先導する部分はガードのみであって、側方部分の前端面はガードに従属するように皮膚の表面を進むことになる。側方部分の前端面が先導する部分から除かれるので、先導部分の長さが短くなる。先導するガードは直前にある皮膚を順次窪ませながら前進するが、前進する際には窪みから斜めに立ち上がる直前の皮膚を窪ませるように圧力をかけるので、ガードは必然的に皮膚から抵抗を受ける。しかし、本発明のガードは側方部分を含んでいないのでその分だけ短く形成されており、皮膚から受ける圧力を小さくすることができるから比較的円滑にカミソリヘッドを進めることができるのである。先導する部分がガードのみであって側方部分の前端面が除かれるために、カミソリヘッドの前部はやや先細りの形状になり、そのために皮膚の抵抗を弱めることができるのである。
【００１４】
請求項２は、高摩擦部材は、長さ方向に平行に延びる３つの突出部を上面に有し、各突出部の頂部はいずれもひげ剃り接線と接していない。したがって、高摩擦な表面の作用により皮膚がしっかりと引き延ばされ、皮膚の皺などが延ばされてひげが起立し、そのひげを根元から切断することができる。
【００１５】
請求項３は、２つの側方部分の後端面と後側部分の後端面とで構成されるカミソリヘッドの後端面が全長に亘って直線状又は滑らかな円弧状をなしている。前述したようにカミソリヘッドの前部はガードが突出して先細りであるのに対し、カミソリヘッドの後部は突出する部分がない。したがって、カミソリヘッドの前部と後部の形状が異なるので、カミソリヘッドの前後を即座に判断することができて使用に便利である。
【００１６】
請求項４は、２つの側方部分がそれぞれ後端面を有し、後側部分の後端面は前記２つの側方部分の後端面と同一平面状又は前記２つの側方部分の後端面よりも前方に位置している。したがって、カミソリヘッドの前部と後部の形状が著しく異なるので、カミソリヘッドの前後を即座に判断することができて使用に便利である。
【００１７】
請求項５は、天部材、基台及び刃部材を含み、刃部材は天部材と基台との間に支持され、ガードは前記天部材又は基台の少なくとも一方に設けられており、ガードが設けられている天部材及び又は基台の前側部分、後側部分及び側方部分が一体に形成されている。したがって、天部材及び又は基台は枠状に形成されて枠の内部に広い空間が生じるので、カミソリヘッドが４枚あるいは５枚など複数の刃を取り付けたときに、使用時におけるひげかすの排出を円滑に行うことができる。また、使用後における刃の洗浄を確実に行うことができる。
【００１８】
請求項６は、後側部分にシェービング補助材が取り付けられ、シェービング補助材の上面及び後面が後側部分の上面から後端面にかけて連続するように露出している。例えば鼻の下などの狭い部分を剃るときは、カミソリヘッドが皮膚の表面を移動する距離が短いのでシェービング補助材が水溶性であるときはシェービング補助材が十分に溶け出さず、シェービング補助材の効果を十分に得ることができない場合がある。そのような場合に、本発明ではシェービング補助材の上面と後面との境目の稜線部分を使用できるから、その稜線部分を鼻の下の剃ろうとする部分に宛がってこすることにより、シェービング補助材が塗布されるので、その部分を円滑に剃ることができる。その場合、シェービング補助材の稜線部分はカミソリヘッドの後側にあるが、安全カミソリを持ちかえて後ろ向きにしなくても、安全カミソリを持ったままで安全カミソリを皮膚に対して垂直になるように傾ければ、シェービング補助材の稜線部分を皮膚に宛がうことができる。また、シェービング補助材の上面と後面が露出しているので、使用後におけるシェービング補助材の乾燥を早めることができる。シェービング補助材が水溶性でなく潤滑剤を浸み込ませたものであるときも、稜線部分を使用して狭い部分に潤滑剤を供給することができる。
【図面の簡単な説明】
【００１９】
【図１】図１は本発明の斜視図である。
【図２】図２は本発明の上面図である。
【図３】図３は本発明の後面図である。
【図４】図４は図２のＡ−Ａ断面図である。
【図５】図５はひげ剃り接線を示すＡ−Ａ断面図である。
【図６】図６は本発明の底面図である。
【発明を実施するための形態】
【００２０】
本発明の実施の形態について説明する。カミソリヘッド１は、安全カミソリの柄に着脱自在に交換できる替刃カートリッジである。カミソリヘッド１は、天部材２、基台３及び刃部材４を含んでいる。カミソリヘッド１は５つの刃５を有し、各刃５は、ステンレス鋼製の刃支持体６に固着されている。刃支持体６は４つの板状弾性脚部７を有し、それらの弾性脚部７によって弾性的に支持される。４つの弾性脚部中、後側の２つの弾性脚部７は敷き板２５の上に乗っている。敷き板２５はアルミニウムで平面視コ字形に形成されており、コ字の上下の横線に該当する部分が天部材２と基台３のそれぞれの側方部分１０，１０の間に挟着され、弾性脚部７は敷き板２５のこの部分に乗っている。また、コ字の垂直線に該当する部分が天部材２と基台３のそれぞれの後側部分９の間に挟着されている。刃部材４は、天部材２と基台３との間に圧接状態で挟持されており、そのために弾性脚部７は撓んでいる。ひげ剃り時に、刃５が皮膚から圧力を受けたときに、その圧力が一定値以上の大きさになると弾性脚部７がさらに撓んで各刃５が沈下する。
【００２１】
天部材２と基台３はほぼ同じ外形を有し、刃部材４を挟持するように天部材２と基台３を重ね合わせることによってカミソリヘッド１は組み立てられる。カミソリヘッド１は、天部材２と基台３で構成される前側部分８と、後側部分９と、２つの側方部分１０，１０とを有し枠状に形成されている。天部材２及び基台３はそれぞれプラスチックで一体に形成され、枠状に囲まれた内側空間部分の上面から５つの刃５の刃先縁１９が露出している。ガード１１は前側部分８のほぼ全体を占めており、ガード１１の表面の長さ方向にエラストマー樹脂製の高摩擦部材１２が延在している。高摩擦部材１２は、前側部分８を形成している材料よりも摩擦係数の大きな材料で形成される。高摩擦部材１２は長さ方向に平行に延びる３つの突出部１３，１４，１５を有する。高摩擦部材１２は、ひげ剃り中に皮膚を引き延ばす作用をなす。
【００２２】
図５に示すように、前側部分８と後側部分９との共通接線であるひげ剃り接線Ｘ−Ｘに対して、ガード１１の上面は前方に向かって下りの傾斜面に形成されている。したがって、各突出部１３，１４，１５の頂部はいずれもひげ剃り接線Ｘ−Ｘと接していない。ガード１１の上面が下りの傾斜面であるから、ひげ剃り時にガード１１の直前の皮膚を窪ませながらカミソリヘッド１を進めるときに、傾斜したガード１１の上面は窪みつつある皮膚に容易に乗り上げるのでカミソリヘッド１を円滑に進めることができる。
【００２３】
カミソリヘッド１の後側部分９に水溶性のシェービング補助材１６が取り付けられている。図４に示すように、シェービング補助材１６は断面がほぼ矩形であって中央部が最大幅を有する樽形に形成され、その上面の全面と後面の上半分の面が露出している。シェービング補助材１６の後面の下半分の面は基台３から一体に立ち上がる壁２１に覆われ、シェービング補助材１６がカミソリヘッド１から外れることを防止している。また、シェービング補助材１６の両端部は側方部分１０，１０の内面に設けた凹部に嵌入されており、この部分でもシェービング補助材１６がカミソリヘッド１から外れることを防止している。シェービング補助材１６の上面と後面の境目の角１７はアールに形成され、その境目の角１７を皮膚に当てて使用することもできる。通常のひげ剃り時には、シェービング補助材１６の上面のみが皮膚に接触して移動しながらシェービング補助剤を供給するので、顔の部位によってはシェービング補助剤が供給されない場合がある。そのときに、安全カミソリを持ち替えることなく顔に対してほぼ垂直にすることによって、シェービング補助材１６の境目の角１７をシェービング補助剤が供給されていない部位に宛がって移動させることができる。これにより、通常のひげ剃りではシェービング補助剤が供給されにくい部位にもシェービング補助剤を供給することができる。従来の水溶性のシェービング補助材は天部材などに設けた凹所に取り付けられ、シェービング補助材の上面だけが露出する構成であったので、使用後にシェービング補助材が容易に乾燥しない場合もあった。本実施態様では、シェービング補助材１６は上面と後面が露出しているので、使用時にシェービング補助材１６が溶け出しやすくシェービング補助材１６の効果をすぐに発揮する。また、使用後においてはシェービング補助材１６の乾燥を早めることができる。また、天部材２の後側部分９には７つの小さな凹部１８が設けられており、ひげ剃りクリームや溶け出したシェービング補助剤を溜め置くことができるので、ひげ剃りクリームやシェービング補助剤の量的な調整ができる。
【００２４】
カミソリヘッド１は、刃５の露出している刃先縁１９の側方外側に２つの側方部分１０，１０を有する。側方部分１０，１０はガード１１よりも外側に張り出しており、側方部分１０，１０は前端面２０，２０を有する。ガード１１の前端部２２は側方部分１０，１０の前端面２０，２０よりも前方に位置し、ガード１１の前半部分が側方部分１０，１０の前端面２０，２０よりも前方に突出するように延在している。したがって、カミソリヘッド１を全体的に見たときにほぼ矩形であるが、カミソリヘッド１の前側の両側に、ガード１１の両端と、側方部分１０，１０の前端面２０，２０とに囲まれた凹部２６，２６が形成されている。ガード１１の長さは、刃５の露出している刃先縁１９の長さとほぼ同じである。ガード１１の突出している前半部分の長さを刃先縁１９よりも短くしてもよく、刃先縁１９よりもやや長くしてもよい。ひげ剃り時に、カミソリヘッド１を皮膚に押し当てたときに皮膚が窪み、カミソリヘッド１を前に進めるときに先導するガードは直前にある皮膚を順次窪ませながら前進するが、先導する部分がガード１１のみであって側方部分の前端面２０，２０が除かれるためにカミソリヘッド１を円滑に前に進めることができる。先導するガード１１はその付近の皮膚もいくらか窪ませるから、側方部分の前端面２０，２０は既に窪み始めた皮膚に当たるので、皮膚から受ける抵抗は弱くなる。
【００２５】
図４に示すように、カミソリヘッド１の後側部分９の後端面２４は壁２１により構成されており、この後端面２４と側方部分１０，１０の後端面２３，２３は面一に形成されている。この構成に替えて、シェービング補助材１６及び壁２１の位置を少し前方にずらして、側方部分１０，１０の後端面２３，２３が後側部分９の後端面２４よりも後方に突出する構成にしてもよい。これにより、カミソリヘッド１の前側の形状と後側の形状が著しく異なるので、カミソリヘッド１の前後を即座に認識することができて便利である。
【００２６】
本実施態様のカミソリヘッド１のサイズについて説明する。カミソリヘッド１の刃先縁１９方向の長さは約４０ｍｍであり、刃先縁１９と垂直方向の最大長さは約１４ｍｍである。カミソリヘッド１の前部に突出しているガード１１の突出量は約１．３ｍｍである。刃５の露出している刃先縁１９の長さは約３３ｍｍであり、その刃先縁１９の側方外側に配置された２つの側方部分の刃先縁１９方向の長さは約３．５ｍｍである。但し、本発明がこれらの数値に限定されないことは勿論である。
【００２７】
なお、本発明は前述した構成に基づいて種々の態様をとることが可能である。高摩擦部材１２はエラストマー樹脂でなくてもよい。また、天部材２のみにガード１１を設けるときは、図１において基台３の前側部分を基台３から切り離し、それを天部材２と一体に形成する。基台３のみにガード１１を設けるときは、図１において天部材２の前側部分を天部材２から切り離し、それを基台３と一体に形成する。
【産業上の利用可能性】
【００２８】
ガードが２つの側方部分の前端面の間でその前端面よりも前方に突出するように延在している構成、及びシェービング補助材の上面及び後面が後側部分の上面から後端面にかけて連続するように露出している構成によって、ひげ剃り時に従来よりもさらにカミソリヘッドを円滑に進めることができる。
【符号の説明】
【００２９】
１  カミソリヘッド
２  天部材
３  基台
４  刃部材
５  刃
６  刃支持体
７  弾性脚部
８  前側部分
９  後側部分
１０  側方部分
１１  ガード
１２  高摩擦部材
１３  突出部
１４  突出部
１５  突出部
１６  シェービング補助材
１７  シェービング補助材の上面と後面の境目の角
１８  凹部
１９  刃先縁
２０  側方部分の前端面
２１  壁
２２  ガードの前端面
２３  側方部分の後端面
２４  後側部分の後端面
２５  敷き板
２６  凹部
【図１】
0005527762.tif 000002
【図２】
0005527762.tif 000003
【図３】
0005527762.tif 000004
【図４】
0005527762.tif 000005
【図５】
0005527762.tif 000006
【図６】
0005527762.tif 000007